(57)【要約】      （修正有）【課題】家畜・家禽の飼料消費量を自動的に検出し、その情報を遠隔地の畜産農家又は飼料販売店・飼料メーカーに通知する機能をもつ飼料管理システムを提供する。【解決手段】距離センサーを持ちローラーに巻かれた糸で接続された錘の自然落下の性質を利用し任意の位置に到達する距離を検出し、その情報を畜産農家又は飼料販売店・飼料メーカーに通知したり逆に要求された位置情報を携帯通信端末によって通知する飼料管理システム。【選択図】図１
0003112114.tif 000002
【実用新案登録請求の範囲】
【請求項１】
家畜・家禽の飼料貯蔵庫において、飼料消費を計測するセンサーの位置情報にもとづいて、適当な飼料消費位置にセンサーが到達時に、信号を出力しその信号をもとに付属する携帯通信端末から予め登録しておいた畜産農家又は飼料販売店・飼料メーカーに飼料の補充を通知することを特長とする飼料管理システム。
【請求項２】
飼料消費を計測するセンサーは飼料貯蔵庫に飼料が充填された位置を０位置とし、飼料が家畜・家禽に消費されるに従ってセンサーも０位置から自然落下していき適当な落下位置を予めセットできることを特長とする請求項１に記載の飼料管理システム。
【請求項３】
飼料消費を計測するセンサーは予めセットされた任意の自然落下位置に到達したら、付属の携帯通信端末にどこの貯蔵庫かを認識できる信号を出力し、携帯通信端末は遠隔地の畜産農家又は飼料販売店・飼料メーカーに情報発信し、畜産農家又は飼料販売店・飼料メーカーに着信するまで、再発信を続行し着信したら特定の解除信号によって信号通知動作を解除することを特長とする請求項１及び請求項２に記載の飼料管理システム。
【請求項４】
飼料消費を計測するセンサーは予めセットされた任意の自然落下位置に到達し、付属の携帯通信端末を介しその位置情報を畜産農家又は飼料販売店・飼料メーカーに情報発信し特定の解除信号を受信したら飼料充填の０位置まで自動又は手動にて復帰することを特長とする飼料管理システム。
【請求項５】
畜産農家又は飼料販売店・飼料メーカーは遠隔地より本飼料管理システムに通信することができ、現在の飼料消費状態を飼料消費を計測するセンサー位置の情報から知ることができることを特長とする飼料管理システム。
【考案の詳細な説明】
【技術分野】
【０００１】  本考案は家畜・家禽の飼料貯蔵庫における飼料消費計測センサー装置及び通報装置に関するものである。
【背景技術】
【０００２】  家畜・家禽の飼料消費状態及び補充時期は畜産農家又は飼料販売店・飼料メーカーが飼料貯蔵庫を直接見て判断しており、労働的負担と経済的負担が大きい。
【考案の開示】
【考案が解決しようとする課題】
【０００３】  畜産農家の高齢化や後継者不足から飼料貯蔵の確認は負担が大きく、その行為を飼料提供する業者に委託しているケースが多い。業者は各畜産農家や牧場を巡回し必要な飼料の生産量を確認し生産指示を飼料メーカーに対し指示をしている。又、提供飼料の枯渇を防ぐため業者は飼料ストックを貯蔵する必要があり、経済的な負担も大きなものがある。従って各畜産農家の飼料貯蔵庫に飼料消費計測センサーを装着することによって、双方の労働的負担と経済的負担を軽減または解決しようとするものである。
【課題を解決するための手段】
【０００４】  本考案は飼料貯蔵庫上部に飼料消費計測センサー装置を装着し、先ず充填された飼料の最上部に、ある重量をもった錘を置く。置いたその位置を０としてセンサー装置に記憶させる。又、飼料補充充填位置もセンサー装置に記憶させ装置稼働開始させる。家畜・家禽の飼料消費に従い飼料の全体量は減少し錘の位置も減少に応じて落下して行き、最終的に飼料補充充填位置に到達したら付属の携帯通信端末に信号を出力し予め設定されている畜産農家・飼料販売店・飼料メーカー等に補充時期であることを通報することによって、課題を解決している。
【考案の効果】
【０００５】  上述の様に、飼料消費センサー装置が検出する飼料補充位置を通報することによって、広域に点在する飼料貯蔵庫の確認作業負担がなくなり、又、通報から生産そして配達までの工程が計画性を持って立案でき、無駄な原材料手配や配送コストの低減に効果がある。
【考案を実施するための最良の形態】
【０００６】  貯蔵庫の上部に飼料消費センサー装置を装着する。飼料消費計測センサー装置は糸状線材でローラーに巻き取られた錘を有しており、錘の位置を操作盤上の表示機と設定ボタンで０にセットする。飼料消費が始まると飼料は減りつづけ、ある重さを持った錘は飼料の減少に応じて、自然落下して行く。錘が落下して行き適当な深さの距離をローラーが回転することによって距離計測する機構を持ち、予め操作盤上で設定された到達距離（補充充填位置）に到達すると、付属の携帯通信端末に到達信号を出力し、携帯通信端末は年月日時刻、貯蔵庫ＩＤ、飼料品名等の情報を予め設定された通信先に通報する。通報動作終了後、飼料計測センサー装置の錘は元の０位置に自動で巻き上げられるか、手動にてボタン操作で巻き上げ、飼料充填作業が終了したら、０設定して計測動作を繰り返す。
【実施例】
【０００７】  以下、本考案の飼料消費センサー装置について図１、図２を参照しながら説明する。
図１は本考案の飼料消費計測センサー装置の一実施形態を示す構成図、図２は飼料消費計測センサー装置の一実施形態を示す斜視図である。【０００８】  図１は飼料貯蔵庫に飼料消費計測センサー装置１が実装された様子を示すものである。飼料貯蔵庫１２に補充充填された位置０から（記載せず）１３で示す消費された飼料位置までを１１の錘が落下している様子を示しており、錘は重力によって落下するが１の飼料消費計測センサー装置本体と糸で接続されており１の装置本体に付属する９のローラーに糸は巻かれており１１の錘が落下すると同時に糸がローラーから出て行き、ローラーの回転によって繰り出された糸の長さを計測する機能を２の制御部は持つ。【０００９】  図２は飼料消費計測センサーの斜視図を示す。まず初めに飼料充填時に充填された飼料の最上部に１１の錘を置きその位置を表示部６で０設定し５の設定ボタンで２の制御部に記憶させることができる機能を持つ。【００１０】家畜・家禽の飼料消費に従い錘１１の位置は次第に予め設定された０位置を基準に降下して行く。ある一定時間降下したその時点で適当な飼料上面を飼料充填補充位置として表示部６と距離設定を可能とする７の＋、−増減スイッチで設定し５の設定ボタンで２の制御部に記憶させることができる機能を持つ。【００１１】  設定された飼料充填補充位置に錘１１が到達すると制御部２は到達信号を発生し３の携帯通信端末を介して予め設定されてある畜産農家又は飼料販売店・飼料メーカーに対し、年月日時刻、飼料充填要求情報、貯蔵庫ＩＤ、飼料品名等の情報を携帯電話通信網をもって通知することができる機能を持つ。【００１２】  又、飼料充填補充位置到達以前の任意の位置を前述の表示機６、７の＋、−増減スイッチで設定し５の設定ボタンで２の制御部に記憶させることができる機能を持つ。【００１３】  本飼料消費計測センサーは畜産農家又は飼料販売店・飼料メーカーが任意に現在の飼料消費状態を知るために３の携帯通信端末に現在の飼料位置情報を携帯電話通信網又は有線回線（一般電話回線通信網）を介し要求することができる機能を持つ。【００１４】  飼料位置情報は制御部２が８の駆動部及び距離センサー部からの現在位置信号を受信しその情報を３の形態通信端末を介し要求した畜産農家又は飼料販売店・飼料メーカーに対しその情報を返信する機能を持つ。【００１５】  飼料充填補充位置に錘１１が到達した時、自動的に予め設定された０位置まで復帰することができる機能を持つ。又、４の機能モード切替スイッチにて手動にて任意の位置に復帰させることができる機能を持つ。【００１６】  制御部２は飼料消費計測センサー装置の安全使用のため８の駆動部及び距離センサーの異常、電源異常等の警報を３の形態通信端末を介して畜産農家又は飼料販売店・飼料メーカーに自動的に通知する機能を持つ。
【図面の簡単な説明】
【００１７】
【図１】本考案の飼料消費計測センサー装置の一実施形態を示す構成図である。
【図２】飼料消費計測センサー装置の一実施形態を示す斜視図である。
【符号の説明】
【００１８】  １  飼料消費計測センサー本体
２  制御部
３  携帯通信端末
４  機能モード切替スイッチ
５  設定ボタン
６  表示部
７  ＋、−増減スイッチ
８  駆動部及び距離センサー
９  ローラー
１０  糸
１１  錘
１２  飼料貯蔵庫
１４  飼育舎
【図１】
0003112114.tif 000003
【図２】
0003112114.tif 000004